(57)【要約】【課題】通常型のズボンでさえあれば、特殊な加工を要した１本の帯体と、迅速、確実かつ容易な掛け外し操作性で、ズボンを簡単に固定できるズボン吊りサスペンダーを提供する。ズボン吊りとして、首から前面に掛けて分岐していない１本の帯体で、滑り止め機能付き原反で、伸縮できる材質を使用していることを特徴とするズボン吊りの滑り止め付き伸縮サスペンダー【解決手段】分岐しないサスペンダーのズボン吊り方法として、１本の帯体を滑り止めと伸縮可能にしている繊維体で、その組成をたて糸として弾性のポリウレタン糸材、およびカバーリングされた弾性のポリウレタン糸材と、よこ糸としてポリエステル糸とのからみ織りから構成されている滑り止め付き伸縮サスペンダーであり、これによりズボンを首から１本の帯体で吊って履くことができ、装脱着が容易になったサスペンダーである。【選択図】図１
2008050720.tif 000002
【特許請求の範囲】
【請求項１】
ズボン吊りとして、首から前面に掛けて分岐していない１本の帯体で、滑り止め機能付き原反で、伸縮できる材質を使用していることを特徴とするズボン吊りの滑り止め付き伸縮サスペンダー。
【請求項２】
請求項１に記載するズボン吊り方法で使用するために、一本帯体の両端部にそれぞれフックあるいは止め具を取り付け、ズボンのベルト通し用ループを選び、選んだループにそれぞれフック、あるいは止め具を掛けることによって、ズボンを吊って履くことを特徴とするズボン吊りの滑り止め付き伸縮サスペンダー。
【請求項３】
請求項１においてズボン吊り方法で滑り止めと伸縮可能にするために、１本の帯体の繊維体は、たて糸として弾性のポリウレタン糸材、またはカバーリングされた弾性ポリウレタン糸材と、よこ糸としてポリエステル糸とのからみ織りから構成されていることを特徴とするズボン吊りの滑り止め付き伸縮サスペンダー。
【請求項４】
人の首後部下側とズボンの正面部分と連結させる為の連結手段の吊り部から成るズボン吊り用サスペンダーであって，使用者の首後部下側の周りに１本の帯体が左右吊り部をズボンの正面部分に連結することによりズボンが使用者の身体に支持されて吊り下げられ得ることを特徴とするズボン吊りの滑り止め付き伸縮サスペンダー。
【発明の詳細な説明】
【技術分野】
【０００１】
この発明は、両下肢から腰に履いたズボンが落ちないように、ズボンの上端部を１本の帯体で肩から吊り下げて履くズボン吊りに使用する滑り止め付きサスペンダーに関する。
【背景技術】
【０００２】
従来から、ズボン吊りのサスペンダーは、背中に接する部位で分岐された数本の帯体端部をズボンの上端部に連結することによって、ズボンを吊り下げる機能を有し、帯体の分岐の態様により、Ｙ型、Ｈ型、Ｘ型及びタスキ型の４種類に大別することができる。
Ｙ型のサスぺンダーは、前に２本、後に１本、合計３本に分岐した帯体から成り、Ｈ型及びＸ型のサスペンダーは、前に２本、後に２本、合計４本に分岐した帯体から成り、タスキ型は、両脇にそれぞれ１本、合計２本に分岐した帯体から成り、それら複数の帯体の端部とズボンの上端部との連結手段は、従来、ボタン止め方式とクリップ止め方式が周知である（特許文献１参照）。
また人の首後部下側とズボンの正面部分とカラー部分と連結させ、カラー部の先端に連結手段の吊り部を取付けたものから成るズボン吊り用サスペンダーであって，使用者の首後部下側の周りにカラー部分が左右吊り部をズボンの正面部分に連結することによりズボンが使用者の身体に支持されて吊り下げられているものも存在している。（特許文献２参考）
ズボン吊り方法で滑り止めと伸縮可能にするために、１本の帯体の繊維体は、たて糸として弾性のポリウレタン糸材、またはカバーリングされた弾性ポリウレタン糸材と、よこ糸としてポリエステル糸とのからみ織りから構成されていることを特徴とするズボン吊りの滑り止め付き伸縮サスペンダー。（特許文献３参考）
【特許文献１】特開平１０−３２５００８号
【特許文献２】特表２００１−５０２３８７号
【特許文献３】特開２００１−２７１２１３号
【発明の開示】
【発明が解決しようとする課題】
【０００３】
前述したボタン止めによる連結方式は、ズボンの上端の内側にあらかじめ４個乃至８個のズボン吊りのサスペンダーは、背中に接する部位で分岐された数本の帯体端部をズボンの上端部に連結することによって、ズボンを吊り下げる機能を有し、帯体の分岐の態様により、Ｙ型、Ｈ型、Ｘ型及びタスキ型を特設しておくことを要しなく、ズボン吊りとして、首から前面に掛けて分岐していない１本の帯体で使用できることが期待されている。
この発明の目的は、人の首後部下側とズボンの正面部分と連結させる為の連結手段の吊り部から成る１本のズボン吊り用サスペンダーであって，首に圧迫感を生じなく、使用者の首後部下側の周りに１本の帯体で十分に左右吊り部をズボンの正面部分に連結することによってズボンが使用者の身体に支持されて吊り下げられ得るサスペンダーを提供することである。
通常型のズボン、すなわち、ズボンの上端外側に沿ってベルトを通すために、普通のズボンでさえあれば、何ら特殊な加工を要しない汎用性を備えている一方、連結時及び離脱時の取扱い操作に手間と時間がかからず、迅速・確実かつ容易に掛け外しをすることができ、更に、連用してもズボン吊りのサスペンダーを提供する方法である。
【課題を解決するための手段】
【０００４】
ズボン吊りとして、首から前面に掛けて分岐していない１本の帯体で、滑り止めを処理して、伸縮できる材質を使用している滑り止め付きサスペンダーである。
ズボン吊り方法で使用するために、帯体の端部にそれぞれフックおよび止め具を取り付け、ズボンのベルト通し用ループを選び、選んだループにそれぞれフックを掛けるか、ズボン上端部に止め具を掛けることによって、ズボンを吊って履くことができる。
ズボン吊りとして、首から前面に掛けて分岐していない１本の帯体は肩及び首に対して負担を掛けない為に幅２０〜４０ｍｍが適切である。
本発明は、ズボン吊り方法で滑り止めと伸縮可能にするために、１本の帯体の繊維体は、たて糸として弾性のポリウレタン糸材及びカバーリングされた弾性のポリウレタン糸材と、よこ糸としてポリエステル糸とのからみ織りから構成されているズボン吊りの滑り止め付き伸縮サスペンダーである。
このサスペンダーは、人の首後部下側とズボンの正面部分と連結させる為の連結手段の吊り部から成るズボン吊り用サスペンダーであって，使用者の首後部下側の周りに１本の帯体が左右吊り部をズボンの正面部分に連結することによりズボンが使用者の身体に支持されて吊り下げられ得る。
この発明によるズボン吊り方法及びサスペンダーは、１本分岐しないサスペンダーの帯体端部にそれぞれフック及び止め具を取り付け、ズボンのベルト通し用に使用するループを選び、選んだループにそれぞれフックを掛けることによって、ズボンを肩から吊って履くものである。他にズボン上部ウエスト部分に止め具により同じようにする。ズボン吊り方法で使用するために、帯体の端部に止め具および金具を取り付け、ズボンのベルト通し用ループを選び、選んだループに止め具で止めるか、ズボン上部ウエスト部分にクリップタイプの金具で取り付けズボンを吊って履くことができる。サスペンダー装着も従来品と違い帯体を首後部下側掛け正面部分に二箇所連結するだけなので簡単、迅速に装着できる。装着時のベルト本体の長さは、長さ調節具により調節できるので快適に使用できる。
通常型のズボン、すなわち、ズボンの上端外側に沿ってベルトを通すために、普通のズボンでさえあれば、何ら特殊な加工を要しない汎用性を備えている一方、連結時及び離脱時の取扱い操作に手間と時間がかからず、迅速・確実かつ容易に掛け外しをすることができ、ズボンの取り付けフック及び止め具をズボン本体より外すことなく上着を着たまま容易にズボンの上げ下ろしができる。手が掛かる子供、高齢者には手間が掛からず特に有効である。
【発明の効果】
【０００５】
以上詳述したように、この発明によるズボン吊り方法及びサスペンダーは、通常型のズボンには１本分岐しないサスペンダーの帯体端部を、フック及び止め具を介して着脱自在に連結するようにしたので、通常型のズボンでさえあれば、特殊な加工を要した帯体を有するために、着脱操作に手間と時間がかからず、確実、容易かつ迅速に掛け外しを行うことができ、従来型のズボン吊り方法及びサスペンダーと対比して、格段の実用的効果を有する。
【発明を実施するための最良の形態】
【０００６】
この発明によるズボン吊り方法は、図１で示すように1本の分岐しないサスペンダーを人の首後部下側にかけ両端をフック及ぶ留め具でズボン正面に掛けることによってズボンを吊って履くものである。図２ズボン吊り方法で使用するために、一本帯体の両端部にそれぞれフックあるいは止め具を取り付け、ズボンのベルト通し用ループを選び、選んだループにそれぞれフックで装着するか、あるいは止め具をズボン上部ウエスト部分に掛けることによって、ズボンを吊って履くことを特徴とするズボン吊りの滑り止め付き伸縮サスペンダー。装着時のベルト本体の長さは、長さ調節具により調節できるので快適に使用できる。
【実施例１】
【０００７】
図１に示すように、ズボン吊りとして、首から前面に掛けて分岐していない１本の帯体の幅として３５ｍｍを使用した。１本の帯体の繊維体は、図４に示すようにたて糸として弾性のポリウレタン糸材とカバーリングされた弾性のポリウレタン糸材との２種類を含み、よこ糸としてポリエステル糸とのからみ織りから構成されているものである。図２に示すように帯体の長さは１２００ｍｍのものを使用した。また止め具としてプラスッチック製のフックを用いた。これをズボン吊りの滑り止め付き伸縮サスペンダーとして成人大人に装着した。
伸縮素材もポリウレタン糸材を使用してソフトな伸縮で、滑り止め効果があるために首後部下側で固定されて肩に負担もなく、左右吊り部をズボンの正面部分に連結することによってズボンが使用者の身体に支持されて快適に使用できた。従来型のズボン吊り方法及びサスペンダーと対比して、格段の実用的効果（装着が容易、快適性）を有している。
【実施例２】
【０００８】
図１に示すように、子供用ズボン吊りとして、首から前面に掛けて分岐していない１本の帯体の幅として２５ｍｍを使用した。１本の帯体の繊維体は、たて糸として弾性のポリウレタン糸材とカバーリングされた弾性のポリウレタン糸材との２種類を含み、よこ糸としてポリエステル糸とのからみ織りから構成されているものである。帯体の長さは８００ｍｍのものを使用した。また止め具として図３に示すようなフックを用いた。これをズボン吊りの滑り止め付き伸縮サスペンダーとして幼児に装着した。
左右吊り部をズボンの正面部分に連結することによってズボンが幼児の身体に支持されて快適に使用できた。従来型のズボン吊り方法及びサスペンダーと対比して、ズボンの装着、脱着が容易であった。
【図面の簡単な説明】
【０００９】
【図１】ズボン吊りの滑り止め付き伸縮サスペンダー（装着正面）
【図２】ズボン吊りの滑り止め付き伸縮サスペンダー本体
【図３】サスペンダーをズボンに付けるフック
【図４】サスペンダー本体の滑り止め原反の構造図（織組織図、タテ方向断面図）
【符号の説明】
【００１０】
１．フック及び止め具
２．サスペンダー長さ調節具
３．滑り止め機能付き原反（伸縮性）
４．ベルト通し用ループ（フック掛け用）
５．ズボン上部ウエスト部（止め具用）
６．ズボンループにかける可動具
７．ヨコ糸、ポリエステル
８．タテ糸、カバーリングされた弾性ポリウレタン糸
９．たて糸、弾性のポリウレタン糸
１０．ポリウレタン糸を使用した凸部
【図１】
2008050720.tif 000003
【図２】
2008050720.tif 000004
【図３】
2008050720.tif 000005
【図４】
2008050720.tif 000006